(57)【要約】【課題】左右フラップ部全体を伸長させることができる使い捨ておむつおよびおむつカバーを提供する。【解決手段】前後方向ｙに前側部Ｆと後側部Ｂとこれらの間に位置する股部Ｃとを有し、後側部Ｂから幅方向ｘに延在する左フラップ部ＬＦと右フラップ部ＲＦとを有する使い捨ておむつ１であって、左フラップ部ＬＦと右フラップ部ＲＦは前側縁２と後側縁３を有し、左フラップ部ＬＦと右フラップ部ＲＦに、前後方向ｙに延び、一方端が前側縁２まで延びる第１スリット４ａと、前後方向ｙに延び、一方端が後側縁３まで延びる第２スリット４ｂが形成されている。【選択図】図４
2014117322.tif 000002
【特許請求の範囲】
【請求項１】
前後方向に前側部と後側部とこれらの間に位置する股部とを有し、前記後側部から幅方向に延在する左フラップ部と右フラップ部とを有する使い捨ておむつであって、
前記股部に吸収性コアが設けられ、
前記左フラップ部と前記右フラップ部は、前側縁と後側縁を有し、
前記左フラップ部と前記右フラップ部には、前後方向に延び、一方端が前記前側縁まで延びる第１スリットと、前後方向に延び、一方端が前記後側縁まで延びる第２スリットが形成されていることを特徴とする使い捨ておむつ。
【請求項２】
前記左フラップ部と前記右フラップ部には、さらに、前後方向に延び、前記前側縁と前記後側縁まで延びない第３スリットが形成されている請求項１に記載の使い捨ておむつ。
【請求項３】
前記左フラップ部と前記右フラップ部には、基材シートに留め具が設けられて形成された保持部材が取り付けられ、
前記第１スリットと前記第２スリット、または、前記第１スリットと前記第２スリットと前記第３スリットが、前記保持部材に形成されている請求項１または２に記載の使い捨ておむつ。
【請求項４】
前記第１スリットと前記第２スリット、または、前記第１スリットと前記第２スリットと前記第３スリットは、前後方向の長さが幅方向の長さの２倍以上である請求項１〜３のいずれか一項に記載の使い捨ておむつ。
【請求項５】
前後方向に前側部と後側部とこれらの間に位置する股部とを有し、前記後側部から幅方向に延在する左フラップ部と右フラップ部とを有するおむつカバーであって、
前記左フラップ部と前記右フラップ部は、前側縁と後側縁を有し、
前記左フラップ部と前記右フラップ部には、前後方向に延び、一方端が前記前側縁まで延びる第１スリットと、前後方向に延び、一方端が前記後側縁まで延びる第２スリットが形成されていることを特徴とするおむつカバー。
【請求項６】
前記左フラップ部と前記右フラップ部には、さらに、前後方向に延び、前記前側縁と前記後側縁まで延びない第３スリットが形成されている請求項５に記載のおむつカバー。
【請求項７】
前記第１スリットと前記第２スリット、または、前記第１スリットと前記第２スリットと前記第３スリットは、前後方向の長さが幅方向の長さの２倍以上である請求項５または６に記載のおむつカバー。
【発明の詳細な説明】
【技術分野】
【０００１】
本発明は、使い捨ておむつおよびおむつカバーに関するものである。
【背景技術】
【０００２】
従来、オープンタイプまたはテープタイプと称される使い捨ておむつが広く知られている。このようなタイプの使い捨ておむつは、前後方向に前側部と後側部とこれらの間に位置する股部とを有し、後側部から幅方向に左フラップ部と右フラップ部が延在して構成され、股部を着用者の股間に当てるとともに、左フラップ部と右フラップ部を着用者の腰周りに当てて、左フラップ部と右フラップ部を前側部に留めることにより装着することができる。また特許文献１には、このような使い捨ておむつの左右フラップ部にスリットが設けられた使い捨ておむつが開示されている。
【先行技術文献】
【特許文献】
【０００３】
【特許文献１】特開２００７−１４３８７１号公報
【発明の概要】
【発明が解決しようとする課題】
【０００４】
ところで、特許文献１に開示される使い捨ておむつでは、左右フラップ部にスリットを設けることにより左右フラップ部が伸長可能に形成され、着用者の腰周りのフィット性を高めることができる。しかし、特許文献１の使い捨ておむつでは、スリットが左右フラップ部の前側縁または後側縁（おむつの前後方向に対する前側縁と後側縁であり、左右フラップ部の延在する方向に対して両側の縁に相当する）まで延びるように形成されていないため、左右フラップ部は前側縁と後側縁の長さが固定され、左右フラップ部全体を伸長させることができない。そのため、着用者の腰周りのフィット性を高めるのには限界がある。
【０００５】
本発明は前記事情に鑑みてなされたものであり、その目的は、左右フラップ部全体を伸長させることができる使い捨ておむつおよびおむつカバーを提供することにある。
【課題を解決するための手段】
【０００６】
前記課題を解決することができた本発明の使い捨ておむつとは、前後方向に前側部と後側部とこれらの間に位置する股部とを有し、後側部から幅方向に延在する左フラップ部と右フラップ部とを有する使い捨ておむつであって、股部に吸収性コアが設けられ、左フラップ部と右フラップ部は前側縁と後側縁を有し、左フラップ部と右フラップ部に、前後方向に延び、一方端が前側縁まで延びる第１スリットと、前後方向に延び、一方端が後側縁まで延びる第２スリットが形成されているところに特徴を有する。
【０００７】
本発明はまた、前後方向に前側部と後側部とこれらの間に位置する股部とを有し、後側部から幅方向に延在する左フラップ部と右フラップ部とを有するおむつカバーであって、左フラップ部と右フラップ部は前側縁と後側縁を有し、左フラップ部と右フラップ部に、前後方向に延び、一方端が前側縁まで延びる第１スリットと、前後方向に延び、一方端が後側縁まで延びる第２スリットが形成されているおむつカバーも提供する。
【０００８】
本発明の使い捨ておむつおよびおむつカバーは、左フラップ部と右フラップ部に前側縁まで延びる第１スリットと後側縁まで延びる第２スリットが形成されているため、左右フラップ部をおむつまたはおむつカバーの幅方向に引っ張ることにより左右フラップ部の前側縁と後側縁に設けられた第１スリットと第２スリットの幅が広がって、左右フラップ部を全体的に伸ばすことができる。すなわち、左右フラップ部を、おむつまたはおむつカバーの前後方向に対して全体的におむつまたはおむつカバーの幅方向に伸ばすことができる。そのため、着用者の体型に合わせて左右フラップ部の長さを調節することが可能となる。
【０００９】
左フラップ部と右フラップ部には、さらに、前後方向に延び、前側縁と後側縁まで延びない第３スリットが形成されていることが好ましい。左フラップ部と右フラップ部にさらに第３スリットが形成されていれば、左右フラップ部を幅方向に伸長可能な長さを確保しつつ、左右フラップ部を破断しにくく形成することができる。
【００１０】
左フラップ部と右フラップ部には、基材シートに留め具が設けられて形成された保持部材が取り付けられ、保持部材に、第１スリットと第２スリットあるいはさらに第３スリットが形成されていてもよい。
【００１１】
第１スリットと第２スリットあるいはさらに第３スリットは、前後方向の長さが幅方向の長さの２倍以上であることが好ましい。このようにスリットが設けられれば、左右フラップ部を幅方向に引っ張ることにより、左右フラップ部の長さを好適に伸ばすことができる。
【発明の効果】
【００１２】
本発明の使い捨ておむつおよびおむつカバーは、着用者の腰周りに当てる左右フラップ部に、左右フラップ部の前側縁または後側縁まで延びる第１スリットと第２スリットが形成されているため、左右フラップ部をおむつまたはおむつカバーの幅方向に引っ張ることにより左右フラップ部の前側縁と後側縁に設けられた第１スリットと第２スリットの幅が広がって、左右フラップ部を全体的に伸ばすことができる。
【図面の簡単な説明】
【００１３】
【図１】スリットが形成された左フラップ部を肌側面から見た平面図を表す。
【図２】スリットが形成された左フラップ部を肌側面から見た平面図を表す。
【図３】スリットが形成された左フラップ部を肌側面から見た平面図を表す。
【図４】本発明の使い捨ておむつの一例を表し、使い捨ておむつを肌側面から見た平面図を表す。
【図５】図４に示した使い捨ておむつのＶ−Ｖ断面図を表す。
【図６】本発明の使い捨ておむつの他の例を表し、使い捨ておむつ（尿パッド）を肌側面から見た平面図を表す。
【図７】図６に示した使い捨ておむつの使用状態の斜視図を表す。
【図８】本発明のおむつカバーの一例を表し、おむつカバーを肌側面から見た平面図を表す。
【図９】図８に示したおむつカバーのＩＸ−ＩＸ断面図を表す。
【発明を実施するための形態】
【００１４】
本発明の使い捨ておむつは、前後方向に前側部と後側部とこれらの間に位置する股部とを有し、後側部から幅方向に延在する左フラップ部と右フラップ部とを有するものである。本発明の使い捨ておむつは、股部を着用者の股間に当てるとともに、左フラップ部と右フラップ部を着用者の腰周りに当てて、左フラップ部と右フラップ部を前側部に留めることにより装着することができる。
【００１５】
本発明の使い捨ておむつは、代表的には、オープンタイプまたはテープタイプと称される使い捨ておむつに適用することができる。また、本発明の使い捨ておむつは、他の使い捨ておむつの肌側面に重ねて使用される尿パッドとして用いてもよい。この場合、本発明の使い捨ておむつは、着用者の腰周りに装着可能な尿パッドとして用いられることとなる。
【００１６】
本発明において、使い捨ておむつの前後方向とは、おむつを着用した際の着用者の股間の前後方向に延びる方向を意味する。使い捨ておむつの幅方向とは、おむつを平面状に広げた状態でおむつと同一面上にあり、前後方向と直交する方向を意味し、おむつを着用した際の着用者の左右方向に相当する。使い捨ておむつの肌側面とは、おむつを着用した際の着用者の肌に向く側の面を意味し、使い捨ておむつの外側面とは、おむつを着用した際の着用者とは反対側を向く面を意味する。
【００１７】
前側部とは、使い捨ておむつの前後方向の一方端に形成され、おむつ着用の際に着用者の腹側に当てる部分を意味する。後側部とは、使い捨ておむつの前後方向の他方端に形成され、おむつ着用の際に着用者の背側に当てる部分を意味する。股部とは、前側部と後側部との間に位置し、着用者の股間に当てる部分を意味する。前側部と股部と後側部は、例えば、使い捨ておむつを前後方向に３等分に区分されて規定される。なお使い捨ておむつは、幅方向の長さが、股部で最も狭くなるように形成されることが好ましい。
【００１８】
使い捨ておむつは、股部に吸収性コアが設けられる。吸収性コアは少なくとも股部に設けられればよく、股部から前側部および／または後側部に延在して設けられていてもよい。
【００１９】
左フラップ部と右フラップ部は後側部から幅方向に延在する部分であり、おむつ着用の際にそれぞれ着用者の左側と右側の腰周りに当てる部分である。使い捨ておむつは一般に、幅方向の長さが股部で最も狭くなるように形成され、左フラップ部と右フラップ部は、例えば、股部の最も幅狭な部分の外縁より幅方向の外方に位置する部分として規定される。また、左フラップ部と右フラップ部には吸収性コアが存在しないことが好ましく、従って左フラップ部と右フラップ部は、股部の幅狭な部分の外縁よりも幅方向の外方かつ吸収性コアよりも幅方向の外方に位置する部分として規定されることが好ましい。なお、本発明の説明において、左フラップ部と右フラップ部をまとめて「左右フラップ部」と称する場合がある。
【００２０】
左右フラップ部は、前側縁と後側縁を有する。左右フラップ部の前側縁と後側縁は、使い捨ておむつの前後方向に対して規定される。
【００２１】
左右フラップ部は、後側部を構成する部材が延在して構成されてもよく、後側部材を構成する部材にそれとは別の部材が取り付けられて構成されてもよく、これらが組み合わさって構成されてもよい。例えば、左右フラップ部には止着テープ等の保持部材が取り付けられてもよく、本発明ではこのように取り付けられた保持部材も左右フラップ部に含まれる。
【００２２】
左右フラップ部の肌側面には留め具が設けられることが好ましい。左右フラップ部の肌側面に留め具を設けることにより、使い捨ておむつを着用の際、左右フラップ部を前側部に止着できるようになる。また、留め具は、基材シートに留め具が設けられて形成された保持部材を左右フラップ部に設けることにより、左右フラップ部に設けられてもよい。
【００２３】
使い捨ておむつは、例えば、トップシートとバックシートとこれらの間に吸収性コアが配されて形成される。この場合、例えば、トップシートバックシートの間に吸収性コアが配された積層体が、前側部と股部と後側部と左右フラップ部を構成する。また、使い捨ておむつは、トップシートとバックシートの間に吸収性コアが配された吸収性本体が、外装シートの肌側面に取り付けられて形成されてもよい。この場合、例えば、外装シートが前側部と股部と後側部と左右フラップ部を構成し、吸収性本体は左右フラップ部を構成しない。
【００２４】
トップシートは、使い捨ておむつの着用の際に着用者側に位置するシートであり、液透過性であることが好ましい。トップシートとしては、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、孔が形成されたプラスチックフィルム等を用いてもよい。
【００２５】
バックシートは、使い捨ておむつの着用の際に着用者とは反対側、すなわち外側に位置するシートであり、液不透過性であることが好ましい。バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。本発明において、液不透過性とは撥水性の意味も含まれる。
【００２６】
外装シートや基材シートは液透過性であっても液不透過性であってもよい。外装シートや基材シートはトップシートやバックシートに使用可能なシート材料を用いることができる。外装シートは、例えば、液透過性の内側シートに液不透過性の外側シートが積層されて形成されてもよい。
【００２７】
上記説明した各シート材料は、伸縮弾性を有するものであってもよい。伸縮弾性を有する材料（伸縮性材料）としては、例えば、天然ゴム；スチレン−ブタジエン共重合体、ポリイソブチレン等の合成ゴム；ポリウレタン、ポリエーテル・ポリエステル、ポリブチレンテレフタレート、ポリトリメチレンテレフタレート等の合成樹脂等を用いることができる。例えば、伸縮性材料から形成された繊維を用いて、不織布、織布、編布等に形成したり、伸縮性材料をフィルム状に形成して、各シート材料として用いてもよい。
【００２８】
吸収性コアは、尿等の排泄物を吸収できる吸収性材料を含むものであれば特に限定されない。吸収性コアとしては、例えば、吸収性材料を所定形状に成形した成形体を用いたり、あるいは吸収性材料を紙シート（例えば、ティッシュペーパーや薄葉紙）や液透過性不織布等のシート部材で覆ったものを用いることができる。吸収性コアに含まれる吸収性材料としては、例えば、セルロース繊維（例えば、粉砕したパルプ繊維）等の親水性繊維や、ポリアクリル酸系、ポリアスパラギン酸系、セルロース系、デンプン・アクリロニトリル系等の吸水性樹脂等が挙げられる。また、吸収性材料には、ポリエチレン、ポリプロピレン等のポリオレフィン繊維や、ＰＥＴ等のポリエステル繊維、ナイロン等のポリアミド繊維等の熱融着性繊維が含まれてもよい。これらの熱融着性繊維は、尿等の体液との親和性を高めるために、界面活性剤等により親水化処理がされていてもよい。
【００２９】
吸収性材料は、尿等の吸収速度を高める点から、親水性繊維を含むことが好ましい。また、吸収容量を高める点からは、吸収性材料は吸水性樹脂を含むことが好ましい。吸収性材料は、例えば、親水性繊維の集合体に吸水性樹脂を混合または散布したものを用いることが好ましい。
【００３０】
吸収性コアの形状（平面形状）は特に限定されない。吸収性コアの形状は、用途に応じて適宜決定すればよく、例えば、略長方形、砂時計型、ひょうたん型、羽子板型等が挙げられる。
【００３１】
留め具としては、フック・ループ・ファスナーのフック部材やループ部材、粘着剤（例えば、粘着テープ、粘着剤層）等を用いればよい。留め具としてフック・ループ・ファスナーのフック部材を用いる場合は、使い捨ておむつの前側部の外側面にフック・ループ・ファスナーのループ部材を止着対応部として設ければよい。あるいは、使い捨ておむつの前側部の外側面をループ部材として機能する材料（例えば、不織布、織布、編布等）で構成してもよい。留め具として粘着剤を用いる場合は、止着対応部として、使い捨ておむつの前側部の外側面にプラスチックフィルムを設けたり、使い捨ておむつの前側部の外側面をプラスチックフィルムで構成すればよい。これらの中でも、留め具としては、フック・ループ・ファスナーのフック部材を用いることが好ましい。フック・ループ・ファスナーのフック部材としては、例えば、錨形や鉤形やきのこ型等の形状のフックを多数表面に有する部材を採用すればよい。
【００３２】
本発明の使い捨ておむつは、左フラップ部と右フラップ部にそれぞれ、前後方向に延びるスリットが複数形成されている。本発明の使い捨ておむつは、左右フラップ部にスリットが形成されることにより、左右フラップ部をおむつの幅方向に引っ張った際にスリットの幅が広がり、左右フラップ部を着用者の体型に合わせて長さを調節することが可能となる。
【００３３】
ところで、左右フラップ部にスリットが形成される場合、スリットが左右フラップ部の前側縁または後側縁まで延びるように形成されていないと、左右フラップ部をおむつの幅方向に引っ張った際に、左右フラップ部が伸びる長さが制限されることとなる。例えば左右フラップ部が非伸縮性の材料から構成されている場合は、スリットが左右フラップ部の前側縁または後側縁まで延びるように形成されていないと、左右フラップ部の前側縁と後側縁の長さは左右フラップ部を引っ張る前と後とで変わらず、左右フラップ部全体を伸長させることはできない。
【００３４】
そこで本発明では、左右フラップ部に、前後方向に延び、一方端が前側縁まで延びる第１スリットと、前後方向に延び、一方端が後側縁まで延びる第２スリットが形成されている。左右フラップ部に前側縁まで延びる第１スリットと後側縁まで延びる第２スリットが形成されていれば、左右フラップ部をおむつの幅方向に引っ張ることにより、左右フラップ部の前側縁と後側縁に設けられた第１スリットと第２スリットの幅が広がって、左右フラップ部を全体的に伸長させることができる。すなわち、左右フラップ部を、おむつの前後方向に対して全体的におむつの幅方向に伸ばすことができる。そのため、着用者の体型に合わせて左右フラップ部の長さを好適に調節することが可能となる。
【００３５】
左右フラップ部には、第１スリットと第２スリットに加え、前後方向に延び、左右フラップ部の前側縁と後側縁まで延びない第３スリットが形成されていることが好ましい。左右フラップ部に第３スリットを設けることにより、第１スリットと第２スリットを設ける数を減らしたり、第１スリットと第２スリットの長さ（おむつの前後方向の長さ）を短くすることができ、左右フラップ部を破断しにくくできる。
【００３６】
スリットは、おむつの幅方向に並んで複数設けられることが好ましい。具体的には、第１スリットと第２スリットはおむつの幅方向に並んで複数設けられることが好ましく、さらに、第３スリットもおむつの幅方向に並んで複数設けられることが好ましい。スリットをおむつの幅方向に並んで複数設けることにより、左右フラップ部を破断しにくくしつつ、左右フラップ部のおむつの幅方向へ伸ばす長さを長くとることができる。
【００３７】
第３スリットは、おむつの前後方向に並んで複数設けられることが好ましい。このように第３スリットが設けられていれば、左右フラップ部の取り扱い性を確保しつつ、左右フラップ部のおむつの幅方向へ伸ばす長さを長くとることができる。第３スリットはまた、第１スリットおよび／または第２スリットと、おむつの前後方向に並んで設けてもよい。
【００３８】
スリット（第１〜第３スリット）は、前後方向に延びるように（すなわち、前後方向の長さが幅方向の長さよりも長くなるように）設けられる限り、その形状は特に限定されない。スリットは直線状に設けられてもよく、多角形、長円形等の形状で設けられてもよい。なおスリットは、前後方向の長さが幅方向の長さの２倍以上であることが好ましく、４倍以上であることがより好ましい。このような形状でスリットが設けられれば、左右フラップ部をおむつの幅方向に引っ張ることにより、左右フラップ部を好適に伸長させることができる。
【００３９】
スリットは、前後方向の端部が丸まって形成されていることが好ましい。具体的には、第１スリットは後側の端部が丸まって形成されていることが好ましく、第２スリットは前側の端部が丸まって形成されていることが好ましく、第３スリットは前後方向の両端部が丸まって形成されていることが好ましい。このようにスリットが形成されていれば、左右フラップ部をおむつの幅方向に引っ張った際に、スリットの前後方向の端部に応力が集中しにくくなり、スリットを起点にして左右フラップ部が破断しにくくなる。前後方向の端部が丸まった形状としては、長円形（楕円を含む）や亜鈴形等が挙げられる。なお、亜鈴形とは、前後方向の両端部が丸まって形成され、その間の中間部が両端部よりも幅狭に形成された形状を意味する。第１スリットと第２スリットが前後方向の端部が丸まった形状で形成される場合、第１スリットと第２スリットは、上記に説明した形状の前後方向の一方側が欠けた形状であればよい。
【００４０】
スリットの前後方向の長さは特に限定されないが、３ｍｍ以上が好ましく、５ｍｍ以上がより好ましく、また５０ｍｍ以下が好ましく、４０ｍｍ以下がより好ましい。このような長さでスリットを形成することにより、左右フラップ部の取り扱い性を確保しつつ、左右フラップ部のおむつを幅方向へ伸長させる長さを確保しやすくなる。
【００４１】
左右フラップ部に設けられるスリットの例について、図面を参照して説明する。なお、本発明は図面に示された実施態様に限定されるものではない。図１〜図３には、左フラップ部を肌側面から見た平面図を示した。図１〜図３には、様々な形状のスリットが設けられた左フラップ部が示されている。図面では、矢印ｘが幅方向、矢印ｙが前後方向を表し、矢印ｘ，ｙにより形成される面に対して垂直方向が厚み方向ｚを表す。
【００４２】
左フラップ部ＬＦは、おむつ本体１１に保持部材５が取り付けられて構成されている。保持部材５は、基材シート７に留め具６が設けられて構成され、テープタイプの使い捨ておむつの止着テープとして機能する。
【００４３】
左フラップ部ＬＦは前側縁２と後側縁３を有する。左フラップ部ＬＦは、後側部Ｂから幅方向ｘに延在して設けられており、図１〜図３では、図面の上側がおむつの後側に相当し、図面の下側がおむつの前側に相当する。
【００４４】
左フラップ部ＬＦを構成する基材シート７には、前後方向ｙに延びるスリット４が複数形成されて、スリット群を形成している。図１〜図３では、スリット４が幅方向ｘと前後方向ｙに複数並んで、スリット群が形成されている。
【００４５】
図１〜図３では、スリット群が、前後方向ｙに延び、一方端が前側縁２まで延びる第１スリット４ａと、前後方向ｙに延び、一方端が後側縁３まで延びる第２スリット４ｂを含み、さらに、前後方向ｙに延び、前側縁２と後側縁３まで延びない第３スリット４ｃを含むように形成されている。すなわち、左フラップ部ＬＦには、一方端が前側縁２まで延びる第１スリット４ａと一方端が後側縁３まで延びる第２スリット４ｂが形成され、さらに、前側縁２と後側縁３まで延びない第３スリット４ｃが形成されている。このように第１スリット４ａと第２スリット４ｂを含むスリット群が左フラップ部ＬＦに形成されていれば、左フラップ部ＬＦを幅方向ｘに引っ張ることにより第１スリット４ａと第２スリット４ｂの幅が広がって、左フラップ部ＬＦの長さを全体的に伸ばすことができる。そのため、着用者の体型に合わせて左フラップ部ＬＦの長さを調節することが可能となる。
【００４６】
第１スリット４ａと第２スリット４ｂと第３スリット４ｃは、図１〜図３に示すように、それぞれ幅方向ｘに並んで配されることが好ましい。このとき、隣接する第１スリット４ａの間、または、隣接する第２スリット４ｂの間に、第３スリット４ｃが配されることが好ましい。なお、幅方向ｘに隣接するスリット４どうしは、前後方向ｙに一部重なるように設けられることが好ましい。
【００４７】
図１の左フラップ部ＬＦには直線状のスリット４が設けられており、図２の左フラップ部ＬＦには長円形のスリット４が設けられており、図３の左フラップ部ＬＦには亜鈴形のスリット４（具体的には、直線形の両端に円形の開口が形成されたスリット４）が設けられている。スリット４は、このように前後方向ｙに延びるように設けられる限り、その形状は特に限定されない。なお図２や図３に示すように、前後方向ｙの端部が丸まった形状でスリット４が形成されていれば、左フラップ部ＬＦを幅方向ｘに引っ張った際に左フラップ部ＬＦが破断しにくくなる。また、図２に示すように幅を有するようにスリット４が形成されれば、スリット４による開口面積が増えて、通気性を改善することができる。
【００４８】
次に、本発明の使い捨ておむつの例について、図面を参照して説明する。なお、本発明の使い捨ておむつは図面に示された実施態様に限定されるものではない。
【００４９】
図４および図５には、図１に示す左フラップ部を有する使い捨ておむつを示した。図４は、オープンタイプ（テープタイプ）の使い捨ておむつを肌側面から見た平面図を表し、図５は、図４に示した使い捨ておむつのＶ−Ｖ断面図を表す。
【００５０】
使い捨ておむつ１（１Ａ）は、おむつ本体１１に保持部材（止着テープ）５が取り付けられて構成されている。使い捨ておむつ１Ａは、前後方向ｙに前側部Ｆと後側部Ｂとこれらの間に位置する股部Ｃとを有し、後側部Ｂから幅方向ｘに左フラップ部ＬＦと右フラップ部ＲＦが延在している。左フラップ部ＬＦと右フラップ部ＲＦは、おむつ本体１１に保持部材５が取り付けられて構成されている。
【００５１】
おむつ本体１１は、トップシート１２とバックシート１３とこれらの間に配された吸収性コア１４を有する。吸収性コア１４は股部Ｃから前側部Ｆおよび後側部Ｂに延在するように設けられている。トップシート１２は使い捨ておむつ１の肌側面に設けられ、着用者から排泄された尿等を透過する。トップシート１２を透過した排泄物は、吸収性コア１４により収容される。バックシート１３は使い捨ておむつ１の外側面に設けられ、排泄物が外部へ漏れるのを防ぐ。
【００５２】
トップシート１２の幅方向ｘの両側には、前後方向ｙに延在するサイドシート１５が設けられている。サイドシート１５はトップシート１２に接合され、幅方向ｘの内方端に起立用弾性部材１８が設けられている。起立用弾性部材１８の収縮力によりサイドシート１５の内方端が着用者の肌に向かって立ち上がり、これにより立ち上がりフラップ１６が形成され、尿等の排泄物の横漏れが防止される。サイドシート１５は、液不透過性の不織布や液不透過性のプラスチックフィルム等により構成されることが好ましい。
【００５３】
左フラップ部ＬＦと右フラップ部ＲＦは上記に説明したように構成されている。保持部材５は、基材シート７がサイドシート１５とバックシート１３に挟まれて、おむつ本体１１の幅方向ｘの両端部に取り付けられている。基材シート７には、第１スリット４ａ、第２スリット４ｂ、第３スリット４ｃが形成されている。
【００５４】
左右フラップ部ＬＦ，ＲＦには、基材シート７の肌側面に留め具６が設けられ、おむつ本体１１の前側部Ｆの外側面に止着対応部１７が設けられている。使い捨ておむつ１は、おむつ本体１１を着用者の股間に当て、左右フラップ部ＬＦ，ＲＦを着用者の腰周りに当てて、留め具６を止着対応部１７に接合することで、装着することができる。この際、左右フラップ部ＬＦ，ＲＦにスリット４（特に第１スリット４ａと第２スリット４ｂ）が設けられているため、着用者の体型に合わせて左右フラップ部ＬＦ，ＲＦの長さを調節することが可能となる。
【００５５】
使い捨ておむつ１Ａでは、左右フラップ部ＬＦ，ＲＦまたは基材シート７が伸縮性材料から構成されていてもよい。この場合、左右フラップ部ＬＦ，ＲＦにスリット４が形成されていても、着用者の腰周りでの密着性を高めることが容易になる。
【００５６】
使い捨ておむつ１Ａでは、おむつ本体１１の前後方向ｙの両端部に、ウェスト用弾性部材１９がトップシート１２またはサイドシート１５とバックシート１３との間に配されている。ウェスト用弾性部材１９により着用者の腰周りに沿ったウェストギャザーが形成され、背中側や腹部側からの尿等の排泄物の漏れが防止される。
【００５７】
使い捨ておむつ１Ａでは、股部Ｃの幅方向ｘの両端部に、脚用弾性部材２０がサイドシート１５とバックシート１３との間に配されている。脚用弾性部材２０により着用者の脚周りに沿ったレッグギャザーが形成され、股部からの尿等の排泄物の漏れが防止される。
【００５８】
図６および図７には、本発明の使い捨ておむつの他の態様として、保持部材が備えられた尿パッドを示した。図６は、使い捨ておむつ（尿パッド）を肌側面から見た平面図を表し、図７は、図６に示した使い捨ておむつの使用状態の斜視図を表す。図６および図７では、図４および図５に示した使い捨ておむつと同じ構成要素を同一の符号で表している。図６および図７に示した使い捨ておむつは、図４および図５に示した使い捨ておむつと形状は大きく異なるものの、基本的な構成はほぼ同じである。
【００５９】
使い捨ておむつ１（１Ｂ）は、トップシート１２とバックシート１３との間に吸収性コア１４が配されて形成されたおむつ本体１１の外側面に保持部材５が取り付けられて構成されている。保持部材５は、おむつ本体１１の後側部Ｂを幅方向ｘに横切って設けられ、左右フラップ部ＬＦ，ＲＦを形成している。保持部材５には、前後方向ｙに延びるスリット４が形成され、図４および図５に示した使い捨ておむつ１Ａと同様に第１スリット４ａと第２スリット４ｂと第３スリット４ｃが形成されている。なお、図６および図７ではスリット４は直線状に設けられているが、スリット４の形状はこれに限定されない。
【００６０】
図６および図７に示した使い捨ておむつ１Ｂは、パンツ等の下着やおむつカバーや他の使い捨ておむつの肌側面に載置して用いられるものである。使い捨ておむつ１Ｂにおいても、おむつ本体１１を着用者の股間に当て、左右フラップ部ＬＦ，ＲＦを着用者の腰周りに当てて、保持部材５に設けられた留め具６をおむつ本体１１の前側部Ｆの外側面に接合することで、装着することができる（図７を参照）。この際、左右フラップ部ＬＦ，ＲＦにスリット４（特に第１スリット４ａと第２スリット４ｂ）が設けられているため、着用者の体型に合わせて左右フラップ部ＬＦ，ＲＦの長さを調節することが可能となる。
【００６１】
使い捨ておむつ１Ｂでは、少なくとも装着する際に保持部材５が機能すればよく、保持部材５の基材シート７を柔軟な材料で構成することで、基材シート７にスリット４が形成されることと相まって、腰周りへの締め付けを軽減することができ、着用感が向上する。このように尿パッドとして使用する使い捨ておむつ１Ｂにおいては、基材シート７は、例えば、目付１０ｇ／ｍ2〜３０ｇ／ｍ2の比較的低い目付の不織布から構成されていることが好ましい。
【００６２】
次に、本発明のおむつカバーについて説明する。本発明のおむつカバーは、吸収性コアが設けられないこと以外は、本発明の使い捨ておむつと同じ構成を有する。すなわち、本発明のおむつカバーは、前後方向に前側部と後側部とこれらの間に位置する股部と、後側部から幅方向に延在する左フラップ部と右フラップ部とを有し、左フラップ部と右フラップ部は前側縁と後側縁を有し、左フラップ部と右フラップ部に、前後方向に延び、一方端が前側縁まで延びる第１スリットと、前後方向に延び、一方端が後側縁まで延びる第２スリットが形成されている。そして、左フラップ部と右フラップ部には、前後方向に延び、前側縁と後側縁まで延びない第３スリットがさらに形成されていることが好ましい。
【００６３】
スリット等のおむつカバーの各構成に関する説明は上記と同様である。おむつカバーを構成する材料についても特に限定されず、上記に説明した不織布、織布、編布、プラスチックフィルム、およびこれらの積層体等を使用できる。おむつカバーは、例えば、前側部、股部、後側部、左右フラップ部が１つの連続したシート部材から構成されていてもよい。
【００６４】
本発明のおむつカバーの例について、図８および図９を参照して説明する。図８および図９には、図４および図５に示した使い捨ておむつから吸収性コアを取り除いたおむつカバーを示した。図８は本発明のおむつカバーの肌側面から見た平面図を表し、図９は、図８に示したおむつカバーのＩＸ−ＩＸ断面図を表す。なお、本発明のおむつカバーは、図面に示された実施態様に限定されるものではない。
【００６５】
おむつカバー２１は、おむつカバー本体３１に保持部材２５が取り付けられて構成されている。おむつカバー２１は、前後方向ｙに前側部Ｆと後側部Ｂとこれらの間に位置する股部Ｃとを有し、後側部Ｂから幅方向ｘに延在して左フラップ部ＬＦと右フラップ部ＲＦが設けられている。左フラップ部ＬＦと右フラップ部ＲＦは、おむつカバー本体３１に保持部材２５が取り付けられて構成されている。
【００６６】
おむつカバー本体３１は、バックシート３３にトップシート３２が積層され、トップシート３２の幅方向ｘの両側に、前後方向ｙに延在するサイドシート３５が設けられて構成されている。サイドシート３５はトップシート３２に接合され、幅方向ｘの内方端に起立用弾性部材３８が設けられている。起立用弾性部材３８の収縮力によりサイドシート３５の内方端が着用者の肌に向かって立ち上がり、立ち上がりフラップ３６が形成される。図８および図９に示したおむつカバー２１は、一対の立ち上がりフラップ３６の間に別体の尿パッド等を載置して用いられる。
【００６７】
保持部材２５は、基材シート２７の肌側面に留め具２６が設けられ、基材シート２７がサイドシート３５とバックシート３３に挟まれて、おむつカバー本体３１の幅方向ｘの両端部に取り付けられている。左右フラップ部ＬＦ，ＲＦは前側縁２２と後側縁２３を有し、左右フラップ部ＬＦ，ＲＦには、基材シート２７に、第１スリット２４ａ、第２スリット２４ｂ、第３スリット２４ｃが形成されている。
【００６８】
おむつカバー本体３１の前側部Ｆの外側面には止着対応部３７が設けられており、おむつカバー２１は、おむつカバー本体３１を着用者の股間に当て、左右フラップ部ＬＦ，ＲＦを着用者の腰周りに当てて、留め具２６を止着対応部３７に接合することで、装着することができる。この際、左右フラップ部ＬＦ，ＲＦにスリット２４ａ〜２４ｃ（特に第１スリット２４ａと第２スリット２４ｂ）が設けられているため、着用者の体型に合わせて左右フラップ部ＬＦ，ＲＦの長さを調節することが可能となる。
【００６９】
おむつカバー本体３１の前後方向ｙの両端部には、ウェスト用弾性部材３９がトップシート３２またはサイドシート３５とバックシート３３との間に配されている。ウェスト用弾性部材３９により着用者の腰周りに沿ったウェストギャザーが形成され、背中側や腹部側からの尿等の排泄物の漏れが防止される。
【００７０】
おむつカバー本体３１の股部Ｃの幅方向ｘの両端部には、脚用弾性部材４０がサイドシート３５とバックシート３３との間に配されている。脚用弾性部材４０により着用者の脚周りに沿ったレッグギャザーが形成され、股部からの尿等の排泄物の漏れが防止される。
【符号の説明】
【００７１】
１，１Ａ，１Ｂ：使い捨ておむつ
Ｆ：前側部
Ｂ：後側部
Ｃ：股部
ＬＦ：左フラップ部
ＲＦ：右フラップ部
２，２２：前側縁
３，２３：後側縁
４：スリット、  ４ａ：第１スリット、  ４ｂ：第２スリット、  ４ｃ：第３スリット
５，２５：  保持部材
６，２６：  留め具
７，２７：  基材シート
１２，３２：トップシート
１３，３３：バックシート
１４：吸収性コア
１５，３５：サイドシート
１６，３６：立ち上がりフラップ
１７，３７：止着対応部
【図１】
2014117322.tif 000003
【図２】
2014117322.tif 000004
【図３】
2014117322.tif 000005
【図４】
2014117322.tif 000006
【図５】
2014117322.tif 000007
【図６】
2014117322.tif 000008
【図７】
2014117322.tif 000009
【図８】
2014117322.tif 000010
【図９】
2014117322.tif 000011